(57)【要約】【課題】表裏両面のうち所望の面を仕上げ面として使用できる建築仕上げ用板材および建築仕上げ用板材の接合構造を提供する。【解決手段】本体部１１の一端部に第１実部１２が、他端部に第２実部１３が形成されており、第２実部１３の先端部に、第２実部傾斜面１４が形成され、本体部１１の一端部に、第２実部傾斜面１４が係合する第１本体部傾斜面１５が形成されている。そして、第１本体部傾斜面１５に第２実部傾斜面１４を係合し、上側に位置する傾斜面によって下側に位置する傾斜面を押えるとともに、下側に位置する実部を止着材２１で固定部２０に固定することによって、建築仕上げ用板材１０を、その表裏両面のうち所望の面を仕上げ面として使用できる。【選択図】図１
2005097930.tif 000002
【特許請求の範囲】
【請求項１】
矩形板状をなす本体部の一端部の表面側に第１実部が形成されており、前記本体部の他端部の裏面側に第１実部と前記本体部の厚さ方向に重なるようにして係合可能な第２実部が形成された建築仕上げ用板材であって、
前記第２実部の先端部には、前記本体部の裏面に対して傾斜する第２実部傾斜面が形成されており、
前記本体部の一端部には、本体部の裏面に対して傾斜しかつ前記第２実部傾斜面が係合する第１本体部傾斜面が形成されていることを特徴とする建築仕上げ用板材。
【請求項２】
請求項１に記載の建築仕上げ用板材において、
前記第１実部の先端部には第１目地形成面が形成されており、前記本体部の他端部には、前記第１目地形成面とで本体部の表面側に第１目地を形成する第２目地形成面が形成されており、
前記本体部の一端部には、前記第１本体部傾斜面と逆方向に傾斜する第２本体部傾斜面が形成されており、
前記第２本体部傾斜面と前記第２実部傾斜面の一部とで前記本体部の裏面側に第２目地を形成可能であることを特徴とする建築仕上げ用板材。
【請求項３】
請求項１または２に記載の建築仕上げ用板材において、
前記第２実部に、この第２実部を固定するための止着材の頭部が収容される凹部が形成されていることを特徴とする建築仕上げ用板材。
【請求項４】
請求項１または２に記載の建築仕上げ用板材において、
前記第１実部に、この第１実部を固定するための止着材の頭部が収容される凹部が形成されていることを特徴とする建築仕上げ用板材。
【請求項５】
請求項１〜４のいずれか一項に記載の建築仕上げ用板材において、
セルロース系微粉粒と樹脂とを混合して押出成形した板状のものであることを特徴とする建築仕上げ用板材。
【請求項６】
請求項１〜５のいずれか一項に記載の建築仕上げ用板材どうしを、それらの第１実部と第２実部とが前記本体部の厚さ方向に重なるようにして係合して接合した建築仕上げ用板材の接合構造であって、
互いに隣接する建築仕上げ用板材においては、一方の建築仕上げ用板材の本体部の第１本体部傾斜面に、他方の建築仕上げ用板材の第２実部の第２実部傾斜面が係合されており、
前記建築仕上げ用板材の裏面が、該建築仕上げ用板材を固定する固定部に向けて配置されている場合は、前記第２実部が止着材によって固定部に固定されており、
前記建築仕上げ用板材の表面が、該建築仕上げ用板材を固定する固定部に向けて配置されている場合は、前記第１実部が止着材によって固定部に固定されていることを特徴とする建築仕上げ用板材の接合構造。
【請求項７】
請求項６に記載の建築仕上げ用板材の接合構造において、
前記第１目地形成面と前記第２目地形成面とによって本体部の表面側に第１目地が形成されており、
前記第２本体部傾斜面と前記第２実部傾斜面の一部とで前記本体部の裏面側に第２目地が形成されていることを特徴とする建築仕上げ用板材の接合構造。
【発明の詳細な説明】
【技術分野】
【０００１】
本発明は、床仕上げ用板材や壁仕上げ用板材等の建築仕上げ用板材および建築仕上げ用板材の接合構造に関する。
【背景技術】
【０００２】
建物の床を仕上げる場合に使用される床仕上げ用板材の一例として、特許文献１に記載のものが知られている。この文献に記載の床材は、例えば図６に示すように、板材１の幅方向の一端に、断面が略Ｖ字状の凸実２が形成されており、他端にこの凸実２を挿入する凹実３が形成されている。
そして、床材どうしの接合部においては、凸実２を凹実３に挿入した際に、凹実３の傾斜面３ａに凸実２の傾斜面２ａが係合することによって、凸実２が傾斜面３ａによって下方に押圧された状態となって固定される。また、凹実３が形成された板材１の端部は釘４等の止着材によって固定される。このようにして、床材どうしは接合されて固定される。
【特許文献１】特開２００２−３５６９７９号公報
【発明の開示】
【発明が解決しようとする課題】
【０００３】
ところで、住宅等の床においては、施主の好み等によって床表面の仕上げが決定されるので、施工業者は、複数種類の床仕上げ用板材を用意しておき、その中から好みのものを選択してもらうようにしている。したがって、床仕上げ用板材において、その表裏両面を仕上げ面として使用できれば、用意する床仕上げ用板材の種類を少なくでき、また、施主にとっては、住宅のリフォーム等の際に、床仕上げ用板材を反転させて、その裏面を仕上げ面として使用することもでき、コストの面で有利である。
しかし、前記特許文献１に記載の床材では、該床材を裏返しにして固定しようとすると、釘等の止着材を凸実２の傾斜面２ａから突出させないように、斜めに打込む必要があるので、釘打ちが非常に困難であるか、あるいは殆ど不可能である。
【０００４】
本発明は上記事情に鑑みてなされもので、表裏両面のうち所望の面を仕上げ面として使用できる建築仕上げ用板材および建築仕上げ用板材の接合構造を提供することを課題としている。
【課題を解決するための手段】
【０００５】
上記課題を解決するために、請求項１に記載の発明は、例えば図１に示すように、矩形板状をなす本体部１１の一端部の表面側に第１実部１２が形成されており、前記本体部１１の他端部の裏面側に第１実部１２と前記本体部１１の厚さ方向に重なるようにして係合可能な第２実部１３が形成された建築仕上げ用板材１０であって、
前記第２実部１３の先端部には、前記本体部１１の裏面に対して傾斜する第２実部傾斜面１４が形成されており、
前記本体部１１の一端部には、本体部１１の裏面に対して傾斜しかつ前記第２実部傾斜面１４が係合する第１本体部傾斜面１５が形成されていることを特徴とする。
【０００６】
請求項１に記載の発明によれば、例えば図１〜図５に示すように、一方の建築仕上げ用板材（床仕上げ用板材）１０の第１本体部傾斜面１５に、他方の床仕上げ用板材（床仕上げ用板材）１０の第２実部傾斜面１４を係合し、上側に位置する傾斜面（第１本体部傾斜面１５と第２実部傾斜面１４のうちの上側に位置する傾斜面）によって下側に位置する傾斜面（第１本体部傾斜面１５と第２実部傾斜面１４のうちの下側に位置する傾斜面）を押えるとともに、下側に位置する実部（第１実部１２と第２実部１３のうちの下側に位置する実部）をビスや釘等の止着材２１で固定部２０に固定することによって、建築仕上げ用板材１０を、その表裏両面のうち所望の面を仕上げ面として使用できる。
【０００７】
請求項２に記載の発明は、請求項１に記載の建築仕上げ用板材において、
前記第１実部１２の先端部には第１目地形成面１６が形成されており、前記本体部１１の他端部には、前記第１目地形成面１６とで本体部１１の表面側に第１目地２２を形成する第２目地形成面１４が形成されており、
前記本体部１１の一端部には、前記第１本体部傾斜面１５と逆方向に傾斜する第２本体部傾斜面１８が形成されており、
前記第２本体部傾斜面１８と前記第２実部傾斜面１４の一部とで前記本体部１１の裏面側に第２目地２３を形成可能であることを特徴とする。
【０００８】
請求項２に記載の発明によれば、第１実部１２と第２実部１３とを本体部１１の厚さ方向に重なるようにして係合すると、第１目地形成面１６と第２目地形成面１７とによって本体部１１の表面側に第１目地２２が形成され、第２本体部傾斜面１８と第２実部傾斜面１４の一部とで本体部１１の裏面側に第２目地２３が形成される。したがって、建築仕上げ用板材１０を、その表裏両面のうち所望の面を仕上げ面として使用した場合でも、その仕上げ面に目地を形成できる。
【０００９】
請求項３に記載の発明は、請求項１または２に記載の建築仕上げ用板材において、
前記第２実部１３に、この第２実部１３を固定するための止着材２１の頭部が収容される凹部１３ａが形成されていることを特徴とする。
ここで、止着材２１としては、例えばビスや釘等が挙げられる。そして、凹部１３ａの深さは止着材２１の頭部の高さとほぼ等しいか深い方が望ましい。
【００１０】
請求項３に記載の発明によれば、第１実部１２を上実部、第２実部１３を下実部としてこれらを本体部１１の厚さ方向に重なるようにして係合し、第２実部１３を止着材２１によって固定部２０に固定する際に、この止着材２１の頭部が凹部１３ａに収容されるので、第１実部１２と第２実部１３とを、止着材２１の頭部が第１実部１２に干渉することなく、確実に重なるようにして係合できる。
【００１１】
請求項４に記載の発明は、請求項１または２に記載の建築仕上げ用板材において、
前記第１実部１２に、この第１実部１２を固定するための止着材２１の頭部が収容される凹部１２ａが形成されていることを特徴とする。
【００１２】
請求項４に記載の発明によれば、第２実部１３を上実部、第１実部１２を下実部としてこれらを本体部１１の厚さ方向に重なるようにして係合し、第１実部１２を止着材２１によって固定部２０に固定する際に、この止着材２１の頭部が凹部１２ａに収容されるので、第１実部１２と第２実部１３とを、止着材２１の頭部が第２実部１３に干渉することなく、確実に重なるようにして係合できる。
【００１３】
前記建築仕上げ用板材１０は、例えば、帯板状の板材の幅方向における両端部を切削等によって加工して、第１実部１２、第２実部１３、第２実部傾斜面１４、第１本体部傾斜面１５、第１目地形成面１６、第２目地形成面１７、第２本体部傾斜面１８、凹部１２ａ，１３ａ等を形成してもよいし、窯業的、つまり、鋳型に材料を鋳込むことによって形成してもよい。しかし、建築仕上げ用板材１０は、上記のように幅方向の端部が比較的複雑な形状をしているので、樹脂の押出成形によって容易に形成できる。
【００１４】
そこで、請求項５に記載の発明は、請求項１〜４のいずれか一項に記載の建築仕上げ用板材において、
セルロース系微粉粒と樹脂とを混合して押出成形した板状のものであることを特徴とする。
【００１５】
ここで、前記セルロース系微粉粒とは、例えば、廃材等の木材の粗粉砕物、バカスの祖粉砕物、稲藁の粗粉砕物等における各種植物細胞体の原料材粗粉砕物を出発原料とし、これを磨砕処理することによって得ることができる。
【００１６】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
【００１７】
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００１８】
また、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。また、樹脂は廃材の樹脂から得るようにしてもよい。
【００１９】
請求項５に記載の発明によれば、セルロース系微粉粒と樹脂とを混合して押出成形した板状のものであるので、防水性、防腐性や木質感を付与することができる。また、押出成形したものであるので、内部に押出成形の際に容易に空洞部を形成でき、軽量化を図ることができる。
【００２０】
請求項６に記載の発明は、請求項１〜５のいずれか一項に記載の建築仕上げ用板材１０，１０どうしを、それらの第１実部１２と第２実部１３とが前記本体部１１の厚さ方向に重なるようにして係合して接合した建築仕上げ用板材の接合構造であって、
互いに隣接する建築仕上げ用板材１０，１０においては、一方の建築仕上げ用板材１０の本体部１１の第１本体部傾斜面１５に、他方の建築仕上げ用板材１０の第２実部１３の第２実部傾斜面１４が係合されており、
前記建築仕上げ用板材１０の裏面が、該建築仕上げ用板材１０を固定する固定部２０に向けて配置されている場合は、前記第２実部１３が止着材２１によって固定部２０に固定されており、
前記建築仕上げ用板材１０の表面が、該建築仕上げ用板材１０を固定する固定部２０に向けて配置されている場合は、前記第１実部１２が止着材２１によって固定部２０に固定されていることを特徴とする。
【００２１】
請求項６に記載の発明によれば、一方の建築仕上げ用板材１０の本体部１１の第１本体部傾斜面１５に、他方の建築仕上げ用板材１０の第２実部１３の第２実部傾斜面１４が係合されているので、上側に位置する傾斜面（第１本体部傾斜面１５と第２実部傾斜面１４のうちの上側に位置する傾斜面）によって下側に位置する傾斜面（第１本体部傾斜面１５と第２実部傾斜面１４のうちの下側に位置する傾斜面）を押えることができる。
そして、建築仕上げ用板材１０の裏面が、該建築仕上げ用板材１０を固定する固定部２０に向けて配置されている場合、つまり、建築仕上げ用板材１０の表面を仕上げ面としている場合は、前記第２実部１３が止着材２１によって固定部２０に固定されており、建築仕上げ用板材１０の表面が、該建築仕上げ用板材１０を固定する固定部２０に向けて配置されている場合、つまり建築仕上げ用板材１０の裏面を仕上げ面としている場合は、前記第１実部１２が止着材２１によって固定部２０に固定されているので、建築仕上げ用板材１０を、その表裏両面のうち所望の面を仕上げ面として使用できる。
【００２２】
請求項７に記載の発明は、請求項６に記載の建築仕上げ用板材の接合構造において、
前記第１目地形成面１６と前記第２目地形成面１７とによって本体部１１の表面側に第１目地２２が形成されており、
前記第２本体部傾斜面１８と前記第２実部傾斜面１４の一部とで前記本体部１１の裏面側に第２目地２３が形成されていることを特徴とする。
【００２３】
請求項７に記載の発明によれば、第１実部１２と第２実部１３とが本体部１１の厚さ方向に重なるようにして係合されているので、第１目地形成面１６と第２目地形成面１７とによって本体部１１の表面側に第１目地２２が形成され、第２本体部傾斜面１８と第２実部傾斜面１４の一部とで本体部１１の裏面側に第２目地２３が形成される。したがって、建築仕上げ用板材１０を、その表裏両面のうち所望の面を仕上げ面として使用した場合でも、その仕上げ面に目地を形成できる。
【発明の効果】
【００２４】
本発明によれば、一方の建築仕上げ用板材の本体部の第１本体部傾斜面に、他方の床仕上げ用板材の第２実部の第２実部傾斜面が係合することによって、上側に位置する傾斜面（第１本体部傾斜面と第２実部傾斜面のうちの上側に位置する傾斜面）によって下側に位置する傾斜面（第１本体部傾斜面と第２実部傾斜面のうちの下側に位置する傾斜面）を押えることができる。そして、建築仕上げ用板材の表面を仕上げ面としている場合は、第２実部がビス等の止着材によって固定部に固定されており、建築仕上げ用板材の裏面を仕上げ面としている場合は、第１実部が止着材によって固定部に固定されているので、建築仕上げ用板材を、その表裏両面のうち所望の面を仕上げ面として使用できる。
【００２５】
また、第１実部と第２実部とを本体部の厚さ方向に重なるようにして係合することによって、第１目地形成面と第２目地形成面とによって本体部の表面側に第１目地が形成され、第２本体部傾斜面と第２実部傾斜面の一部とで本体部の裏面側に第２目地が形成される。したがって、建築仕上げ用板材を、その表裏両面のうち所望の面を仕上げ面として使用した場合でも、その仕上げ面に目地を形成できる。
【００２６】
さらに、第１実部と第２実部に、止着材の頭を収容する凹部が形成されているので、第１実部と第２実部のうちの、止着材を打込むまたはねじ込む方の実部に形成されている凹部に止着材の頭部が収容されるので、止着材を打込まないまたはねじ込まない方の実部に止着材の頭部が干渉することなく、よって、第１実部と第２実部とを確実に重なるようにして係合できる。
【００２７】
また、建築仕上げ用板材が、セルロース系微粉粒と樹脂とを混合して押出成形した板状のものであるので、防水性、防腐性や木質感を備えたものとなる。また、押出成形したものであるので、内部に押出成形の際に容易に空洞部を形成でき、軽量化を図ることができる。
【発明を実施するための最良の形態】
【００２８】
以下、図面を参照して本発明の実施の形態について説明する。
図１は本発明に係る建築仕上げ用板材を示す断面図である。この建築仕上げ用板材は、具体的には住宅等の建物の床を仕上げるための床仕上げ用板材１０である。この床仕上げ用板材１０は、セルロース系微粉粒と樹脂とを混合して押出成形することによって形成されたものであり、図１において紙面と直交する方向に長尺な帯板状となっている。なお、この方向と押出成形の際の押出方向が一致しており、床仕上げ用板材１０の内部には、４つの空洞部１０ａが押出成形の際に同時に形成されている。これら、空洞部１０ａによって床仕上げ用板材１０の軽量化および材料の軽減化が図られている。
また、床仕上げ用板材１０の表裏両面とも仕上げ面として使用できるような処理が施してある。表裏両面は、異なる仕上げ方法で仕上げてもよいし、同じ仕上げ方法で仕上げてもよい。
【００２９】
前記床仕上げ用板材１０は、前記空洞部１０ａを内部に備えた本体部１１と、この本体部１１の幅方向における一端部に形成され第１実部１２と、幅方向における他端部に形成された第２実部１３とを備えている。
第１実部１２は、本体部１１の一端部（図１では右端部）の表面側に形成されており、その厚さは本体部１１の厚さの約半分の厚さとなっている。
第２実部１３は、本体部１１の一端部（図１では左端部）の裏面側に形成されており、その厚さは本体部１１の厚さの約半分の厚さとなっている。
第１実部１２と第２実部１３とは、ほぼ等しい長さとなっており、本体部１１の厚さ方向に重なるようにして係合可能である。
【００３０】
前記第２実部１３の先端部には、第２実部傾斜面１４が形成されている。この第２実部傾斜面１４は、本体部１１の裏面に対して傾斜する面であり、先端側ほど本体部１１の裏面から離間するように傾斜している。
また、本体部１１の一端部には、前記第２実部傾斜面１４が係合する第１本体部傾斜面１５が形成されている。この第１本体部傾斜面１５は、本体部１１の裏面に対して傾斜する面であり、先端側ほど本体部１１の裏面に接近するようにして傾斜している。また、第１本体部傾斜面の傾斜方向における長さは、第２実部傾斜面１４の傾斜方向における長さより短くなっている。そして、第１本体部傾斜面１５と第１実部１２の裏面とによって、断面略Ｖ字状の溝が形成されている。
【００３１】
また、前記第１実部１２の先端部には第１目地形成面１６が形成されており、本体部１１の他端部には第２目地形成面１７が形成されている。第１目地形成面１６は第２目地形成面１７とで本体部１１の表面側に第１目地を形成するものであり、先端側ほど本体部１１の表面から離間するように傾斜している。また、第２目地形成面１７は、本体部１１の他端部の表面側に形成されたものであり、先端側ほど本体部１１の表面から離間するように傾斜している。
第１目地形成面１６と第２目地形成面１７とはそれらの傾斜方向における長さが等しくなっており、したがって、第１目地形成面１６と第２目地形成面１７とによってＶ字状の第１目地を本体部１１の表面側に形成できるようになっている。
【００３２】
また、本体部１１の一端部には、第２本体部傾斜面１８が形成されている。この第２本体部傾斜面１８は、前記第１本体部傾斜面１５と逆方向に傾斜するものであり、本体部１１の裏面側に形成されている。そして、第２本体部傾斜面１８と前記第２実部傾斜面１４の一部とで本体部１１の裏面側に第２目地を形成可能となっている。
さらに、前記第２実部１３には、凹部１３ａが本体部１１の長さ方向（紙面と直交する方向）に沿って形成されており、第１実部１２には、凹部１２ａが本体部１１の長さ方向（紙面と直交する方向）に沿って形成されている。
凹部１３ａは、第２実部１３をビス等の止着材によって固定部に固定する際に止着材の頭部が収容されるものであり、同様に、凹部１２ａは第１実部１２をビス等の止着材によって固定部に固定する際に止着材の頭部が収容されるものである。
【００３３】
次に、上記のような床仕上げ用板材１０どうしの接合構造について説明する。
まず、床仕上げ用板材１０の表面を仕上げ面とした接合構造について図２および図４を参照して説明する。
複数の床仕上げ用板材１０…はそれぞれ表面を上側にして配置されている。したがって、床仕上げ用板材１０の第１実部１２は上実部となり、第２実部１３は下実部となる。
そして、互いに隣接する床仕上げ用板材１０，１０どうしを接合する場合、それらの接合部においては、右側に位置する床仕上げ用板材１０の下実部である第２実部１３を固定部２０に固定した後、この床仕上げ用板材１０の左側に隣接する床仕上げ用板材１０の上実部である第１実部１２を前記第２実部１３に上から重ねるようにして係合する。なお、固定部２０は、床仕上げ用板材１０が固定されるものであり、例えば、パネル工法で使用される床パネルや、在来の軸組み工法で使用される根太等である。
【００３４】
これによって、床仕上げ用板材１０，１０の接合部の構造は以下のようになる。まず、互いに左右に隣接する床仕上げ用板材１０，１０どうしは、それらの第１実部１２と第２実部１３とが本体部１１の厚さ方向に重なるようにして係合されている。また、一方（左方）の床仕上げ用板材１０の本体部１１の第１本体部傾斜面１５には、他方（右方）の床仕上げ用板材１０の第２実部１３の第２実部傾斜面１４が上方から係合されている。
また、右方の床仕上げ用板材１０の第２実部１３は、ビス等の止着材２１によって前記固定部２０に固定されている。この止着材２１は第２実部１３に形成された凹部１３ａから第２実部１３を貫通して、固定部２０にねじ込まれている。そして、止着材２１の頭部は凹部１３ａに収容されている。
このように、第２実部１３は止着材２１によって固定部２０に固定されているので、互いに隣接する床仕上げ用板材どうしの接合部においては、上側に位置する第２実部傾斜面１４によって、下側に位置する第１本体部傾斜面１５を上方から押えることができる.。この第１本体部傾斜面１５が上方から押えられることによって、第１実部１２が第２実部１３を上方から押えることができる。
したがって、互いに隣接する床仕上げ用板材１０，１０の接合部においては、右方の床仕上げ用板材１０の下実部１３と左方の床仕上げ用板材１０の上実部１２とが互いに係合するとともに、これらが止着材２１によって固定部２０に固定される。
また、第１実部１２と第２実部１３とが本体部１１の厚さ方向に重なるようにして係合されているので、第１目地形成面と第２目地形成面とによって本体部の表面側に第１目地２２が形成される。
【００３５】
次に、床仕上げ用板材１０の裏面を仕上げ面とした接合構造について図３および図５を参照して説明する。
複数の床仕上げ用板材１０…はそれぞれ裏面を上側にして配置されている。したがって、床仕上げ用板材１０の第１実部１２は下実部となり、第２実部１３は上実部となる。
そして、互いに隣接する床仕上げ用板材１０，１０どうしを接合する場合、それらの接合部においては、右側に位置する床仕上げ用板材１０の下実部である第１実部１２を固定部２０に固定した後、この床仕上げ用板材１０の左側に隣接する床仕上げ用板材１０の上実部である第２実部１３を前記第１実部１２に上から重ねるようにして係合する。
【００３６】
これによって、床仕上げ用板材１０，１０の接合部の構造は以下のようになる。まず、互いに左右に隣接する床仕上げ用板材１０，１０どうしは、それらの第１実部１２と第２実部１３とが本体部１１の厚さ方向に重なるようにして係合されている。また、一方（右方）の床仕上げ用板材１０の本体部１１の第１本体部傾斜面１５には、他方（左方）の床仕上げ用板材１０の第２実部１３の第２実部傾斜面１４が下方から係合されている。
また、右方の床仕上げ用板材１０の第１実部１２は、ビス等の止着材２１によって前記固定部２０に固定されている。この止着材２１は第１実部１２に形成された凹部１２ａから第１実部１２を貫通して、固定部２０にねじ込まれている。そして、止着材２１の頭部は凹部１２ａに収容されている。
このように、第１実部１２は止着材２１によって固定部２０に固定されているので、互いに隣接する床仕上げ用板材どうしの接合部においては、上側に位置する第１本体部傾斜面１５によって、下側に位置する第２実部傾斜面１４を上方から押えることができる.。この第２実部傾斜面１４が上方から押えられることによって、第２実部１３が第１実部１２を上方から押えることができる。
したがって、互いに隣接する床仕上げ用板材１０，１０の接合部においては、右方の床仕上げ用板材１０の下実部１２と左方の床仕上げ用板材１０の上実部１３とが互いに係合するとともに、これらが止着材２１によって固定部２０に固定される。
また第１実部（下実部）１２と第２実部（上実部）１３とが本体部１１の厚さ方向に重なるようにして係合されているので、第２本体部傾斜面１８と第２実部傾斜面１４の一部とで本体部１１の裏面側（仕上げ面側）に第２目地２３が形成される。
【００３７】
以上のように、一方の床仕上げ用板材１０の第１本体部傾斜面１５に、他方の床仕上げ用板材１０の第２実部傾斜面１４が係合することによって、上側に位置する傾斜面によって下側に位置する傾斜面を押えることができる。そして、床仕上げ用板材１０の表面を仕上げ面としている場合は、第２実部１３がビス等の止着材２１によって固定部２０に固定されており、床仕上げ用板材１０の裏面を仕上げ面としている場合は、第１実部１２が止着材２１によって固定部２０に固定されているので、床仕上げ用板材１０を、その表裏両面のうち所望の面を仕上げ面として使用できる。
また、第１目地形成面１６と第２目地形成面１７とによって本体部１１の表面側に第１目地２１が形成され、第２本体部傾斜面１８と第２実部傾斜面１４の一部とで本体部１１の裏面側に第２目地２３が形成される。したがって、床仕上げ用板材１０を、その表裏両面のうち所望の面を仕上げ面として使用した場合でも、その仕上げ面に目地を形成できる。
さらに、第１実部１２と第２実部１３に、止着材２１の頭を収容する凹部１２ａ，１３ａが形成されているので、第１実部１２と第２実部１３のうちの、止着材２１をねじ込む方の実部に形成されている凹部に止着材２１の頭部が収容されるので、止着材２１をねじ込まない方の実部に止着材２１の頭部が干渉することなく、よって、第１実部１２と第２実部１３とを確実に重なるようにして係合できる。
【００３８】
なお、本実施の形態の形態では、本発明の建築仕上げ用板材として、床仕上げ用板材を例にとって説明したが、これに限ることなく、本発明は、建築仕上げ用板材として、建物の内壁や外壁を仕上げる壁仕上げ用板材およびその接合構造にも適用できる。
【図面の簡単な説明】
【００３９】
【図１】本発明に係る建築仕上げ用板材の一例を示す断面図である。
【図２】本発明に係る建築仕上げ用板材の接合構造の一例を示すもので、その断面図である。
【図３】本発明に係る建築仕上げ用板材の接合構造の他の例を示すもので、その断面図である。
【図４】図２の要部の拡大断面図である。
【図５】図３の要部の拡大断面図である。
【図６】従来の床材の接合構造を示す断面図である。
【符号の説明】
【００４０】
１０  床仕上げ用板材（建築仕上げ用板材）
１１  本体部
１２  第１実部
１２ａ  凹部
１３  第２実部
１３ａ  凹部
１４  第２実部傾斜面
１５  第１本体部傾斜面
１６  第１目地形成面
１７  第２目地形成面
１８  第２本体部傾斜面
２０  固定部
２１  止着材
２２  第１目地
２３  第２目地
【図１】
2005097930.tif 000003
【図２】
2005097930.tif 000004
【図３】
2005097930.tif 000005
【図４】
2005097930.tif 000006
【図５】
2005097930.tif 000007
【図６】
2005097930.tif 000008